(57)【要約】      （修正有）【課題】情報掲示面を有するボード体を差し替え可能にできるととともに、予備のボード体を収納可能とすることで使用者の使い勝手を良好なものとすることができるスタンドパネルを提供する。【解決手段】床面Ｆ上に載置されたベース体２と、ベース体２から上方に向かって立設された平板状のパネル本体３と、ボード体４の情報掲示面Ｐがパネル本体３の表裏面のうち少なくとも一方の面と平行になるように、ボード体４をパネル本体３に対して着脱可能に支持するボード支持部と、パネル本体３の裏面３ｂ側に設けられ、ボード体４を収容可能なボード収容部５と、を備えた構成とする。【選択図】図１
2020069033.tif 000002
【特許請求の範囲】
【請求項１】
床面上に載置されたベース体と、
該ベース体から上方に向かって立設された平板状のパネル本体と、
ボード体の情報掲示面が前記パネル本体の表裏面のうち少なくとも一方の面と平行になるように、前記ボード体を前記パネル本体に対して着脱可能に支持するボード支持部と、
前記パネル本体の表裏面のいずれか一方側に設けられ、前記ボード体を収容可能なボード収容部と、
を備えていることを特徴とするスタンドパネル。
【請求項２】
前記パネル本体の一方の表面側に前記ボード体が前記ボード支持部に取り付けられ、
前記ボード収容部は、前記パネル本体の他方の裏面側に設けられていることを特徴とする請求項１に記載のスタンドパネル。
【請求項３】
前記ボード支持部は、前記パネル本体に設けられる係止部と、前記ボード体に設けられ、前記係止部に係止される被係止部と、を有し、
前記被係止部を前記係止部に係止させることで、前記ボード体が前記パネル本体に支持されることを特徴とする請求項１又は２に記載のスタンドパネル。
【請求項４】
前記ボード収容部は、前記パネル本体の下部に配置されていることを特徴とする請求項１乃至３のいずれか１項に記載のスタンドパネル。
【請求項５】
前記ベース体は、前記パネル本体の面から直交する方向に延びて配置され、
前記ボード収容部は、前記ベース体の延在方向で前記ベース体よりも突出しない寸法に設定されていることを特徴とする請求項１乃至４のいずれか１項に記載のスタンドパネル。
【発明の詳細な説明】
【技術分野】
【０００１】
本発明は、スタンドパネルに関する。
【背景技術】
【０００２】
従来、オフィスや病院、公共施設、研究施設等の室内空間においては、室内空間を複数のエリアに区画するために、床面上に載置されたベース体と、ベース体から上方に向かって立設された平板状のパネル本体とを備えたスタンドパネルを使用するのが一般的となっている。このようなスタンドパネルは、室内空間を複数の用途に使用することができ、これによりパーティションや展示用等として使い勝手の良好な空間を実現している。
また、スタンドパネルとしてより使い勝手を良好としたものとして、例えば特許文献１〜３に示されるような、スタンドパネルのパネル表面もしくは裏面をホワイトボード等の筆記面として形成したものが知られている。
【０００３】
ところが、これらの構造においては、筆記可能面がスタンドパネルの表裏面に限られてしまい、より多くの内容を筆記したい場合には、既に記載した内容を消して記載可能面を設ける必要があった。
そこで、例えば特許文献４、５に示されるような、筆記可能面を有するパネル体をスタンドパネルに着脱可能な構成のものが知られている。この場合には、筆記済みのパネル体を差し替えることによって、より多くの内容を筆記することができることから、筆記可能面を有するスタンドパネルとしての使い勝手を良好なものとしている。
【先行技術文献】
【特許文献】
【０００４】
【特許文献１】特開２０１７−０６３８７８号公報
【特許文献２】特開２０１８−０７９６２８号公報
【特許文献３】特開２００３−０９６９５３号公報
【特許文献４】特許第４４９１３３３号公報
【特許文献５】特許第４３４３８１６号公報
【発明の概要】
【発明が解決しようとする課題】
【０００５】
上述した特許文献４、５に示すような従来のスタンドパネルでは、筆記済みのパネル体や未記載のパネル体を保管するために、スタンドパネルの近傍にパネル体の置き場を確保する必要があった。そのため、スタンドパネルとしての使い勝手が低下するうえ、使用時に煩雑で体裁が悪くなるという問題があり、その点で改善の余地があった。
【０００６】
本発明は、上述する問題点に鑑みてなされたもので、情報掲示面を有するボード体を差し替え可能にできるととともに、予備のボード体を収納可能とすることで使用者の使い勝手を良好なものとしたスタンドパネルを提供することを目的とする。
【課題を解決するための手段】
【０００７】
上記目的を達成するため、本発明に係るスタンドパネルは、床面上に載置されたベース体と、該ベース体から上方に向かって立設された平板状のパネル本体と、ボード体の情報掲示面が前記パネル本体の表裏面のうち少なくとも一方の面と平行になるように、前記ボード体を前記パネル本体に対して着脱可能に支持するボード支持部と、前記パネル本体の表裏面のいずれか一方側に設けられ、前記ボード体を収容可能なボード収容部と、を備えていることを特徴としている。
【０００８】
本発明では、例えば筆記可能な情報掲示面を有するボード体をパネル本体の表裏面のうち少なくとも一方の面に着脱可能に掲示することができる。そのため、ボード体をパネル本体に対して適宜他のボード体に差し替えて使用することが可能なため、記載した情報を消して使用する必要がなくなる利点がある。
また、本発明では、パネル本体の表面側又は裏面側に設けられるボード収容部に、予備のボード体を収納し保管することができる。そのため、スタンドパネルから離れた位置にボード体をストックする場合のようにボード体の置き場を確保する必要がなく、パネル本体に対するボード体の着脱作業を容易に行うことができ、使用者の使い勝手を良好なものとすることができる。
【０００９】
また、本発明に係るスタンドパネルは、前記パネル本体の一方の表面側に前記ボード体が前記ボード支持部に取り付けられ、前記ボード収容部は、前記パネル本体の他方の裏面側に設けられていることが好ましい。
【００１０】
この場合には、パネル本体の裏面側に設けられるボード収容部によってボード体が収容されるので、表面側から見た外観がよく、スタンドパネルの体裁を良好なものとすることができる。
【００１１】
また、本発明に係るスタンドパネルは、前記ボード支持部は、前記パネル本体に設けられる係止部と、前記ボード体に設けられ、前記係止部に係止される被係止部と、を有し、  前記被係止部を前記係止部に係止させることで、前記ボード体が前記パネル本体に支持されることを特徴としてもよい。
【００１２】
この場合には、ボード体の被係止部をパネル本体に設けられる係止部に係止することによって、ボード体をパネル本体に対して容易に着脱することができる。このとき、ボード体はパネル本体に対して係止した状態で取り付けられるので、ボード体を安定した姿勢で支持することができる。
【００１３】
また、本発明に係るスタンドパネルは、前記ボード収容部は、前記パネル本体の下部に配置されていることを特徴としてもよい。
【００１４】
この場合には、ボード収容部がパネル本体の下部に配設されているので、ボード収容部にボード体が収納されている状態であっても、使用者から見え易い位置となるパネル本体の上部を掲示面とし、情報掲示面を有するボード体を取り付けて活用することができ、スタンドパネルとしての使い勝手をより良好なものとすることができる。
【００１５】
また、本発明に係るスタンドパネルは、前記ベース体は、前記パネル本体の面から直交する方向に延びて配置され、前記ボード収容部は、前記ベース体の延在方向で前記ベース体よりも突出しない寸法に設定されていることを特徴としてもよい。
【００１６】
この場合には、ボード収容部がベース体よりも外側に突出しないので、複数のスタンドパネルを直列配置するネスティングの際に、ボード収容部や収納されるボード体の干渉を低減することができ、使い勝手を良好なものとすることができる。
【発明の効果】
【００１７】
本発明のスタンドパネルによれば、情報掲示面を有するボード体を差し替え可能にできるととともに、予備のボード体を収納可能とすることで使用者の使い勝手を良好なものとすることができる。
【図面の簡単な説明】
【００１８】
【図１】本発明の実施形態によるスタンドパネルを斜め前方から見た斜視図である。
【図２】実施形態によるスタンドパネルを斜め後方から見た斜視図である。
【図３】実施形態によるスタンドパネルを後方から見た正面図である。
【図４】図３に示すＡ−Ａ線矢視図であって、スタンドパネルの側面図である。
【図５】実施形態によるスタンドパネルを上方から見た平面図である。
【図６】パネル本体に取り付けられるベース体の取付け構造を示す側面図である。
【図７】ベース体の斜視図である。
【図８】図７に示すベース体の側面図である。
【図９】図７に示すベース体を上方から見た平面図である。
【図１０】上辺フレームに係止フックを係止させた構成を示す要部拡大図であって、左右方向から見た側面図である。
【図１１】図１０に示す係止フックの斜視図である。
【図１２】スタンドパネルの下部を斜め後方から見た斜視図であって、ボード収容部の構成を示す図である。
【図１３】図１２においてボード収容部をパネル本体から取り外した状態を示す分解斜視図である。
【発明を実施するための形態】
【００１９】
以下、本発明の実施形態によるスタンドパネルについて、図面に基づいて説明する。
【００２０】
図１〜図５に示す本実施形態によるスタンドパネル１は、学校の教室、執務室等の室内空間において、間仕切り用のパーティションパネルや展示パネル等として使用されるものである。
【００２１】
スタンドパネル１は、床面Ｆ上に載置されたベース体２（２Ａ、２Ｂ）と、ベース体２から上方に向かって立設された平板状のパネル本体３と、ボード体４の情報掲示面Ｐがパネル本体３の表裏面３ａ、３ｂのうち少なくとも一方のパネル表面３ａ、３ｂと平行になるように、ボード体４をパネル本体３に対して着脱可能に支持するボード支持部（後述する係止フック６、及びボード体４の被係止穴４３）と、パネル本体３の裏面３ｂ側に設けられ、ボード体４を収容可能なボード収容部５と、を備えている。
【００２２】
ここで、本実施形態では、スタンドパネル１の上下方向を符号Ｄｖとし、パネル本体３の表裏面３ａ、３ｂに向かった状態での左右方向を符号Ｄｈとし、上方から見た平面視で左右方向Ｄｈに直交する方向（パネル本体３の表裏面３ａ、３ｂに直交する方向）を前後方向Ｄｆという。また、スタンドパネル１の前後方向Ｄｆにおいて、ボード収容部５が設けられる面を裏面３ｂとして裏面３ｂ側を後方、後側といい、その反対側の面を表面３ａとして表面３ａ側を前方、前側という。
【００２３】
パネル本体３の左右端部寄りに一対で設けられるベース体２（２Ａ、２Ｂ）は、それぞれパネル本体３の前後方向Ｄｆに突出した支持脚２１、２２を有している。
ベース体２Ａ、２Ｂは、パネル本体３の下端から下方に延びる脚柱２０と、脚柱２０から前後方向Ｄｆの一方に延びる第一支持脚２１（第一脚体）と、脚柱２０から前後方向Ｄｆの他方に延びる第二支持脚２２（第二脚体）と、を有している。第一支持脚２１と第二支持脚２２とは、互いに上下方向Ｄｖに異なる位置から前後方向Ｄｆに向かって突出して設けられている。
【００２４】
本実施形態では、第二支持脚２２の第二基端部２２ａが第一支持脚２１の第一基端部２１ａよりも高い位置に設けられている。具体的に第一支持脚２１は、第一基端部２１ａの第一高さ位置から前後方向Ｄｆの一方に向けて突出し、第二支持脚２２は、第一基端部２１ａの第一高さ位置よりも高い第二基端部２２ａの第二高さ位置から前後方向Ｄｆの他方に向けて突出している。
【００２５】
脚柱２０は、図６に示すように、後述するパネル本体３の下辺フレーム３２Ｂの下面３２ｂに固定ねじ２０４を締め付けることにより固定されている。脚柱２０は、図６〜図９に示すように、上下方向Ｄｖに延びる柱部２０１と、柱部２０１の上端から左右方向Ｄｈの内側に向けて延びる固定片２０２と、を有し、略Ｌ字形に形成されている。柱部２０１の所定の高さ位置には、第一支持脚２１と第二支持脚２２の各基端部２１ａ、２２ａが接続されている。固定片２０２は、厚さ方向に貫通する挿通孔２０３が形成されている。固定片２０２は、上面を下辺フレーム３２Ｂの下面３２ｂに当接させた状態で、挿通孔２０３に下方から固定ねじ２０４（図６参照）を貫通させて下辺フレーム３２Ｂの下面３２ｂに形成されている雌ねじ（図示省略）に螺合させることで固定されている。
【００２６】
第一支持脚２１は、図７〜図９に示すように、脚柱２０に接続される第一基端部２１ａから前後方向Ｄｆの一方に向けて延びる水平部２１１と、水平部２１１の突出端から下方に向けて延びる垂直部２１２と、垂直部２１２の下端に支持されたキャスタ２１３と、を有している。第二支持脚２２は、脚柱２０に接続される第二基端部２２ａから前後方向Ｄｆの一方に向けて延びる水平部２２１と、水平部２２１の突出端から下方に向けて延びる垂直部２２２と、垂直部２２２の下端に取り付けられたキャスタ２２３と、を有している。第一支持脚２１の水平部２１１と第二支持脚２２の水平部２２１は、それぞれ前後方向Ｄｆに同じ長さで突出している。
なお、各支持脚２１、２２は、キャスタ２１３、２２３に代えてアジャスタであってもかまわない。
【００２７】
第一支持脚２１の水平部２１１の上面２１１ａは、第二支持脚２２の水平部２２１の下面２２１ｂより下方に位置している。つまり、一方の第一支持脚２１の水平部２１１は、別の第二支持脚２２の水平部２２１の下方に交差させた状態で配置させることが可能である。
なお、各支持脚２１、２２の水平部２１１、２２１同士の高さは、第一支持脚２１の水平部２１１が第二支持脚２２の水平部２２１より下方であればとくに限定されることはなく、所定の高さに設定できる。
【００２８】
このような形状にベース体２を形成することにより、一方のスタンドパネル１と他方のスタンドパネル１を、それぞれベース体２、２同士を左右方向Ｄｈにずらした位置に配置することで、スタンドパネル１、１同士をそれらの表裏で密着させて直列的にネスティングできる。また、隣り合うスタンドパネル１、１同士に角度をつけて配置する場合であっても、第一支持脚２１と第二支持脚２２とが干渉することないので、スタンドパネル１、１同士の間に隙間が形成されることなく、互いに近接した状態で配置することができる。
【００２９】
パネル本体３は、図１〜図３に示すように、表面３ａ及び裏面３ｂに掲示面を表示可能な正面視で略矩板状のパネル板３１と、パネル板３１の上下左右の四辺に設けられる枠フレーム３２（３２Ａ、３２Ｂ、３２Ｃ、３２Ｄ）と、パネル板３１の四隅のそれぞれに設けられ、枠フレーム３２の接続部同士を接続するコーナー部３３と、を備えている。
【００３０】
パネル板３１は、上下方向Ｄｖに長い略長方形状をなし、表裏面３ａ、３ｂが例えば筆記可能なホワイトボードを採用できる。パネル板３１は、外周縁を枠フレーム３２のパネル板３１側に形成される溝部３２１（図１０参照）に挿入した状態で枠フレーム３２に保持されている。
【００３１】
なお、パネル本体３の材質，構造，外形等は、図示のものに限られず任意に設定できる。例えば、パネル板３１は、マグネットの磁力で着脱自在に保持可能な薄板状の金属性の部材を採用することも可能である。
【００３２】
枠フレーム３２は、上辺フレーム３２Ａ、下辺フレーム３２Ｂ、及び左右両側に設けられ側辺フレーム３２Ｃ、３２Ｄを有している。
各辺のフレーム３２Ａ、３２Ｂ、３２Ｃ、３２Ｄは、パネル板３１側を向く内向面に各辺フレーム３２Ａ、３２Ｂ、３２Ｃ、３２Ｄの長手方向に沿う溝部３２１と、長手方向の両端面３２ｃに形成された雌ねじ孔３２２（図６参照）と、を有している。また、上辺フレーム３２Ａ及び下辺フレーム３２Ｂには、外向面におけるパネル板３１の厚み方向の両端から突出する前後一対の起立壁３２３が形成されている。側辺フレーム３２Ｃ、３２Ｄには、前述の起立壁３２３が形成されていない。
【００３３】
溝部３２１には、パネル板３１の外周縁３１ａが嵌合される。つまり、パネル板３１の外周縁３１ａは、この外周縁３１ａの各辺に対応する枠フレーム３２の溝部３２１によって全周にわたって保持された状態となる。
上辺フレーム３２Ａの一対の起立壁３２３には、それぞれ長手方向の任意の位置に係止フック６が着脱可能となっている。
【００３４】
また、下辺フレーム３２Ｂにおいて下向きに突出する一対の起立壁３２３は、図６に示すように、一対の起立壁３２３同士の間に形成される下向きに開口する凹状部において固定されるベース体２Ａ、２Ｂの脚柱２０の固定片２０２を前後方向Ｄｆから覆うように配置された化粧板の機能を有している。これにより固定片２０２の固定状態が外方から隠れて見えにくい状態となり、意匠性を良好にできる。
【００３５】
図６に示すように、溝部３２１をパネル板３１に嵌合させた姿勢の隣接するフレーム３２、３２同士には、それぞれのフレーム３２、３２の両端面３２ｃに形成された雌ねじ孔３２２に固定ねじ３４を螺合することによってコーナー部３３が固定されている。
【００３６】
コーナー部３３は、図６に示すように、パネル板３１の角部で互いに直交して接合される枠フレーム３２、３２同士の端面３２ｃ、３２ｃのそれぞれに当接する一対の接合端面３３ａ、３３ａを有している。コーナー部３３の頂部側には、一対の接合端面３３ａ、３３ａの裏側に達する凹部３３ｂが形成されている。
接合端面３３ａには、枠フレーム３２に固定される固定ねじ３４が挿通される貫通孔３３ｃが形成されている。コーナー部３３は、凹部３３ｂから固定ねじ３４を貫通孔３３ｃに挿通されるとともに、枠フレーム３２の端面３２ｃに形成されている雌ねじ孔３２２に螺合される。そして、パネル板３１の四隅にコーナー部３３が固定されることにより枠フレーム３２及びパネル板３１と一体的に固定される。
【００３７】
パネル本体３の上部には、図１０及び図１１に示すように、ボード体４を係止するための係止フック６（係止部）が着脱可能に設けられている。
係止フック６は、基板６１と、基板６１の裏面６１ｂの下部に設けられ、上辺フレーム３２Ａの起立壁３２３に上方から差し込むことで係合する差込片６２と、基板６１の表面６１ａから突出した突起部６３と、を有している。差込片６２は、基板６１に起立壁３２３の厚みと同等の間隔をあけて配置される押さえ板６２１と、押さえ板６２１の上端と基板６１の裏面６１ｂとを連結する連結片６２２と、からなる。突起部６３には、突出端に突出方向に対して交差する方向に突出する落下防止部６３ａが形成されている。
突起部６３に落下防止部６３ａを形成することにより、ボード体４の被係止穴４３（後述する）を挿通させることで取り付けられるが、突起部６３からボード体４がすべり落ちることが防止される。
【００３８】
基板６１と押さえ板６２１との間に起立壁３２３を差し込み、連結片６２２を起立壁３２３の上端３２３ａに当接させた状態で係止フック６が上辺フレーム３２Ａの所定位置に係止される。なお、係止フック６は、上辺フレーム３２Ａの長手方向（左右方向Ｄｈ）の任意の位置に配置できるので、ボード体４の被係止穴４３（後述する）の位置に合わせて位置調整することが可能である。
【００３９】
パネル板３１の表面３ａには、図１に示すように、例えば磁石等によって装着可能なオプション部材７（７１、７２）が設けられている。本実施形態のオプション部材７は、パネル板３１の表面３ａの下部に配置される粉受け７１と、筆記具が載置可能な筆記置き７２（物品載置部）と、を有している。
オプション部材７は、左右に位置する支持脚２Ａ、２Ｂ同士の間に設けられるとともに、一対の支持脚２Ａ、２Ｂの基端部２１ａ、２２ａ（水平部２１１、２２１）よりも上方に配設されている。
【００４０】
ボード体４は、図１及び図２に示すように、パネル本体３の表裏面側のパネル表面３ａ、３ｂに着脱可能に支持されている。
ボード体４は、平面視で略長方形状のボード本体４１と、ボード本体４１の四辺に設けられるボード枠部４２と、を備えている。ボード体４は、長辺方向の寸法がパネル本体３の左右方向Ｄｈの長さ寸法と同等、或いは僅かに小さい寸法に設定されている。
【００４１】
ボード本体４１の各角部には、厚さ方向に貫通し係止フック６に係止される被係止穴４３（被係止部）が設けられている。ボード体４を長手方向を横向き姿勢にした状態で、上側に位置する被係止穴４３をパネル本体３の上部に設けられた係止フック６の突起部６４に係止させることで、ボード体４をパネル本体３に支持される。
【００４２】
ボード収容部５は、図１２及び図１３に示すように、パネル本体３の下部に固定されている。ボード収容部５は、パネル本体３の下部に固定されるベースプレート５１と、ベースプレート５１の後端部５１ｂから立設された保持枠５２と、を備えている。ボード収容部５は、ベース体２の延在方向（前後方向Ｄｆ）でベース体２よりも前後方向Ｄｆで外側に突出しない寸法に設定されている。
【００４３】
ベースプレート５１は、左右方向Ｄｈに延在し、前端部５１ａが下方フレーム３２Ｂの下面３２ｅに固定ねじ５３によって締結されている。ベースプレート５１には、後端部５１ｂ、及び左右方向Ｄｈの両側端部５１ｃ、５１ｃから立設された側板５４が設けられている。底板５１には、一対のベース体２Ａ、２Ｂの位置に前方に開口する切欠部５１ｄが形成されている。切欠部５１ｄには、ベース体２Ａ、２Ｂがそれぞれ配置される。
【００４４】
保持枠５２は、線状部材からなり、略コ字形状に形成された開口側の両端が底板５１の後端部５１ｂに接続されている。
底板５１上には、図１〜図４に示すように、パネル本体３の裏面３ｂと保持枠５２との間において、長手方向を横向きにした姿勢の複数枚のボード体４、４、…（図では３枚）を立てかけるように配列させてストック可能に設けられている。
【００４５】
次に、上述したスタンドパネル１の作用について、図面に基づいて詳細に説明する。
本実施形態によるスタンドパネル１では、図１〜図４に示すように、例えば筆記可能な情報掲示面Ｐを有するボード体４をパネル本体３の表面３ａ及び裏面３ｂのうち少なくとも一方のパネル表面に着脱可能に掲示することができる。そのため、ボード体４をパネル本体３に対して適宜他のボード体４に差し替えて使用することが可能なため、記載した情報を消して使用する必要がなくなる利点がある。
【００４６】
また、本実施形態では、パネル本体３の裏面３ｂ側に設けられるボード収容部５に、予備のボード体４を収納し保管することができる。そのため、スタンドパネル１から離れた位置にボード体４をストックする場合のようにボード体４の置き場を確保する必要がなく、パネル本体３に対するボード体４の着脱作業を容易に行うことができ、使用者の使い勝手を良好なものとすることができる。
【００４７】
また、本実施形態では、パネル本体３の裏面３ｂ側に設けられるボード収容部５によってボード体４が収容されるので、表面３ａ側から見た外観がよく、スタンドパネル１の体裁を良好なものとすることができる。
【００４８】
さらに、本実施形態では、ボード体４の被係止穴４３をパネル本体３に設けられる係止フック６に引っ掛けるようにして係止することによって、ボード体４をパネル本体３に対して容易に着脱することができる。このとき、ボード体４はパネル本体３に対して係止した状態で取り付けられるので、ボード体４を安定した姿勢で支持することができる。
【００４９】
さらにまた、本実施形態では、図１〜図３に示すように、ボード収容部５がパネル本体３の下部に配設されているので、ボード収容部５にボード体４が収納されている状態であっても、使用者から見え易い位置となるパネル本体３の上部を掲示面とし、情報掲示面Ｐを有するボード体４を取り付けて活用することができ、スタンドパネル１としての使い勝手をより良好なものとすることができる。
【００５０】
また、本実施形態では、ボード収容部５が前後方向Ｄｆでベース体２よりも外側に突出しないので、複数のスタンドパネル１を直列配置するネスティングの際に、ボード収容部５や収納されるボード体４の干渉を低減することができ、使い勝手を良好なものとすることができる。
【００５１】
上述のように本実施形態によるスタンドパネル１では、情報掲示面Ｐを有するボード体４を差し替え可能にできるととともに、予備のボード体４を収納可能とすることで使用者の使い勝手を良好なものとすることができる。
【００５２】
以上、本発明によるスタンドパネルの実施形態について説明したが、本発明は上記の実施形態に限定されるものではなく、その趣旨を逸脱しない範囲で適宜変更可能である。
【００５３】
例えば、上記実施形態では、パネル本体３のパネル板３１としてホワイトボードを採用しているが、これに限定されることはなく、例えば黒板、ポリカーボネート複層シート、木製板等の部材を採用することができる。
【００５４】
また、本実施形態では、ボード体４の収容部を形成するボード収容部５がパネル本体３の裏面３ｂ側に設けた構成としているが、パネル本体３の表面３ａ側、あるいは表面３ａ及び裏面３ｂの両面にボード収容部５を設ける構成であってもかまわない。
【００５５】
また、本実施形態では、パネル本体３に係止フック６が着脱可能に設けられているが、フック形状の係止部であることに限定されることはなく、他の形状の係止部を採用することができる。また着脱可能な係止部であることに限定されることはなく、例えば上辺フレーム３２Ａの所定位置に固定、或いは形成される係止部であってもよい。例えば上辺フレーム３２Ａに掛止穴（係止部）を設けておき、ボード体４に前記掛止穴に係止可能な突出部（被係止部）を設ける構成であってもよい。
【００５６】
さらに、ボード収容部５によるボード体４の収納部として、本実施形態の形状、位置に限定されることはない。例えば、本実施形態では、ボード収容部５がパネル本体３の裏面３ｂ側の下部に配置されているが、上下方向の中央寄りの位置であってもかまわない。そして、本実施形態では、ボード収容部５としてベースプレート５１の前端部５１ｂに線状の保持枠５２を備えた構成としているが、保持枠５２に代えて壁状の部材を採用してもよい。要は、パネル本体３に固定可能に設けられ、かつ（好ましくは複数の）ボード体４を取り出し容易に収納した状態で保持できる部材であればよいのである。
【００５７】
また、本実施形態では、ボード収容部５がベース体２の延在方向（前後方向Ｄｆ）でベース体２よりも外側に突出しない寸法に設定されているが、例えばより多くのボード体４を収納するためにボード収容部５がベース体２よりも突出した寸法に設定されていてもよい。
【００５８】
その他、本発明の趣旨を逸脱しない範囲で、上記した実施形態における構成要素を周知の構成要素に置き換えることは適宜可能である。
【符号の説明】
【００５９】
１  スタンドパネル
２、２Ａ、２Ｂ  ベース体
３  パネル本体
３ａ  表面
３ｂ  裏面
４  ボード体
５  ボード収容部
６  係止フック（係止部）
７  オプション部材
２０  脚注
２１  第一支持脚
２２  第二支持脚
３１  パネル板
３２  枠フレーム
３２Ａ  上辺フレーム
３２Ｂ  下辺フレーム
３３  コーナー部
４３  被係止穴（被係止部）
５２  保持枠
Ｄｈ  左右方向
Ｄｆ  前後方向
Ｄｖ  上下方向
Ｆ  床面
Ｐ  情報掲示面
【図１】
2020069033.tif 000003
【図２】
2020069033.tif 000004
【図３】
2020069033.tif 000005
【図４】
2020069033.tif 000006
【図５】
2020069033.tif 000007
【図６】
2020069033.tif 000008
【図７】
2020069033.tif 000009
【図８】
2020069033.tif 000010
【図９】
2020069033.tif 000011
【図１０】
2020069033.tif 000012
【図１１】
2020069033.tif 000013
【図１２】
2020069033.tif 000014
【図１３】
2020069033.tif 000015